(57)【要約】【課題】  ＲＦＩＤタグを備えた医療用品と、医療用品への取付けに適するケース入りＲＦＩＤタグを提供する。【解決手段】  アンテナと無線通信用のＩＣチップを備えたＲＦＩＤタグが取付けられたＲＦＩＤタグ付き医療用品であり、アンテナが長さ数ｃｍの糸状、線状、テープ状といった細長であり、ＩＣチップが１／１０ｍｍ単位の超小型であり、そのＲＦＩＤタグが医療用品自体又はその容器、包装に取付けられたものである。ケース入りＲＦＩＤタグは前記ＲＦＩＤタグが液体バリア性のあるケースに封入されたものである。ＲＦＩＤタグ付き医療用品用空容器は、前記ＲＦＩＤタグが検体、血液、医薬品等の医療用品を収容可能な空容器に取付けられたものである。【選択図】図１
2013114587.tif 000002
【特許請求の範囲】
【請求項１】
アンテナと無線通信用のＩＣチップを備えたＲＦＩＤタグが取付けられたＲＦＩＤタグ付き医療用品において、
前記アンテナが長さ数ｃｍの糸状、線状、テープ状といった細長であり、
前記ＩＣチップが１／１０ｍｍ単位の超小型であり、
前記ＲＦＩＤタグが医療用品自体又はその容器、包装に取付けられた、
ことを特徴とするＲＦＩＤタグ付き医療用品。
【請求項２】
請求項１記載のＲＦＩＤタグ付き医療用品において、
当該ＲＦＩＤタグ付き医療用品が温度センサと当該温度センサで検知された温度を記憶可能な記憶部を備え、
記憶部に記憶された温度を、リーダで読み取り可能であるか、アクティブ型又はセミアクティブ型のＲＦＩＤタグから送信可能である、
ことを特徴とするＲＦＩＤタグ付き医療用品。
【請求項３】
請求項２記載のＲＦＩＤタグ付き医療用品において、
医療用品がＩＣチップを駆動する電源用の太陽電池を備えた、
ことを特徴とするＲＦＩＤタグ付き医療用品。
【請求項４】
請求項１乃至請求項３のいずれか１項に記載のＲＦＩＤタグ付き医療用品において、
ＩＣチップが書き込みは可能であるが書き込み後の改変不可能なライトワンス（追記型）である、
ことを特徴とするＲＦＩＤタグ付き医療用品。
【請求項５】
請求項１乃至請求項４のいずれか１項に記載のＲＦＩＤタグ付き医療用品において、
ＲＦＩＤタグが液体バリア性のあるケースに収容されたケース入りであるか又は当該ケースに収容されない裸の状態で医療用品に取付けられ、裸の場合はその外にカバーで被覆されて防液処理された、
ことを特徴とするＲＦＩＤタグ付き医療用品。
【請求項６】
請求項１乃至請求項５記載のＲＦＩＤタグ付き医療用品に取付けられるＲＦＩＤタグにおいて、
ＲＦＩＤタグがアンテナとＩＣチップを備え、
前記アンテナが長さ数ｃｍの糸状、線状、テープ状といった細長であり、
前記ＩＣチップが１／１０ｍｍ単位の超小型であり、
前記ＲＦＩＤが液体バリア性のあるケースに封入され、当該ケースが医療用品に取付け可能である、
ことを特徴とするケース入りＲＦＩＤタグ。
【請求項７】
請求項６記載のケース入りＲＦＩＤタグにおいて、
ケースが粒状、チューブ状、扁平の袋状であり、当該ケースが医療用品に取付け可能である、
ことを特徴とするケース入りＲＦＩＤタグ。
【請求項８】
請求項１乃至請求項５記載のＲＦＩＤタグ付き医療用品用の空容器であり、
ＲＦＩＤタグがアンテナとＩＣチップを備え、
前記アンテナが長さ数ｃｍの糸状、線状、テープ状といった細長であり、
前記ＩＣチップが１／１０ｍｍ単位の超小型であり、
前記ＲＦＩＤタグが空容器に封入され、
当該空容器が検体、血液、医薬品等の医療品を収容可能であり、液体バリア性を備える、
ことを特徴とするＲＦＩＤタグ付き医療用品用空容器。
【請求項９】
請求項８記載のＲＦＩＤタグ付き医療用品用空容器において、
空容器が立体状又は扁平な袋状であり、
空容器が立体状の場合は、その成型時に又は成型後にＲＦＩＤタグが封入され、
空容器が袋状の場合は、空容器にポケット状又は一部を二重にした収容部が形成され、
前記収容部にＲＦＩＤタグが収容された、
ことを特徴とするＲＦＩＤタグ付き医療用品用空容器。
【発明の詳細な説明】
【技術分野】
【０００１】
本発明はＲＦＩＤ（Radio Frequency IDentification）タグ付き医療用品と、ＲＦＩＤタグをケースに封入したケース入りＲＦＩＤタグと、ＲＦＩＤタグを備え、医療用品を収容可能なＲＦＩＤタグ付き医療用品用空容器に関する。
【背景技術】
【０００２】
医療の現場では、患者から採取した検体を検査して病気の原因、病状等を調べている。患者から採取した検体を収納した検体容器には検体を特定するための検体特定情報（ＩＤ）、患者の氏名、生年月日といった患者情報、検体の属性情報、保管や取り扱い作業の日時、作業者氏名、作業内容といった履歴情報といった各種情報（以下まとめて「属性情報」という。）を手書きしたり、それら情報が表示されたバーコードラベルを貼付したりして管理している。血液パック、包装医薬品等にも前記と同様に手書きしたりバーコードラベルを貼付したりしている。
【０００３】
検体、血液パック、包装医薬品等の医療用品の管理は厳重に行われているが、前記手書方法では記載ミスのおそれがあり、バーコードラベルを貼付する方法では貼り間違えのおそれがある。記載ミスや貼り間違えがなくても、医療用品は洗浄されたり蒸気殺菌されたりして水分が付着したり、ホルマリンとか薬液等が付着したりすることがあるため、手書きした情報やバーコードラベルの情報が不鮮明になって判読困難になったり、消えてしまって判読不能になったりすることがあった。医療用品は医療機関に持ち込まれてから直接、使用部署に届けられるとは限らず、数ヶ所の部署で必要な処理（作業）が行われて搬送されるのが通常である。これら作業時に医療用品を取り違えたり、作業を間違えたりすることもあった。このため、医療用品は適正な状態で使用部署に搬送されるとは限らず、医療過誤の一因となることがあった。
【０００４】
検体、血液パック、包装医薬品等は、品質保持の面から、保管時に冷蔵或いは冷凍が義務付けられているものもある。しかし、従来は実際に冷蔵或いは冷凍されていたかどうかを確認する手段がないため、医療用品の品質保証の面で難点があった。
【０００５】
医療用品の保管、取り扱いは厳重な注意の下に行われているが、人間の注意力に頼るこれまでの管理や取り扱いには限界があり、作業ミスを根絶することは不可能であった。そこで、近年は、物品にＲＦＩＤタグを取付けて管理することが行われている。ＲＦＩＤタグには各種あり、例えば、布帛や織物内の空隙にＩＣタグを挿入したもの（特許文献１）、柔軟性や強度に優れた炭素繊維の紐をアンテナとして医療用衣類やシーツなどに取付けたもの（特許文献２）、アンテナに金属線を使用し、その金属線を織布、不織布、金網の一部に織り込んだもの（特許文献３）等が知られている。
【０００６】
近年のＲＦＩＤタグは小型化されているが、医療分野での使用があまり進んでいない。
【先行技術文献】
【特許文献】
【０００７】
【特許文献１】特開２００５−２２６１６５号公報
【特許文献２】特開２００９−２８９００３号公報
【特許文献３】特開２００６−３０９４０１号公報
【発明の概要】
【発明が解決しようとする課題】
【０００８】
本発明の解決課題は、耐液性や耐薬品性に優れ、医療用品の管理に適したＲＦＩＤタグ付き医療用品と、医療用品へ取付けるのに適したケース入りＲＦＩＤタグと、検体、血液等の収容に適したＲＦＩＤタグ付き医療用品用空容器を提供することにある。
【課題を解決するための手段】
【０００９】
本発明のＲＦＩＤタグ付き医療用品は、線状、糸状、テープ状といった細長のアンテナに、超小型のＩＣチップ（０．４×０．４ｍｍ程度）が取付けられたＲＦＩＤを医療用品自体又はその容器、包装に取付けたものである。
【００１０】
本発明のＲＦＩＤタグ付き医療用品は、ＲＦＩＤタグをパッシブ型、アクティブ型、セミアクティブ型のいずれとすることもできるが、アクティブ型、セミアクティブ型の場合は、ＲＦＩＤタグのＩＣチップを駆動させるための電池、例えば、ボタン型のような小型の電池を用意する必要するとか、医療用品の容器や包装に太陽電池を設けて、それらをＲＦＩＤタグの電源とすることもできる。
【００１１】
前記ＩＣチップには当該チップ自体を特定できる情報（特定情報：ＩＤ）が記憶されており、そのＩＤは当該ＩＣチップを物体に取付けることによりその物体を特定する特定情報（ＩＤ）となる。ＲＦＩＤタグには各種のものを使用することができ、書き込み不能なものでも書き込み可能なものでも使用可能であるが、トレーサビリティの面からは一度の書き込みは可能であるが書き込み後の改変は不可能なライトワンス（追記型）のものが好ましい。
【００１２】
本発明のＲＦＩＤタグ付き医療用品には温度センサを設けることもできる。この場合は、前記ＩＣチップとして前記温度センサで検知された温度を記憶可能なものを使用するのが部品点数の削減、コスト、小型化等の面から望ましい。
【００１３】
医療用品に取付けるＲＦＩＤタグは、ケースに封入したケース入りＲＦＩＤタグでも、ケース内に封入しない裸のＲＦＩＤタグでも、織物、編物等の布帛にＲＦＩＤタグを織り込み又は編み込みしたＲＦＩＤタグ付き布帛であってもよい。ＲＦＩＤタグ付き布帛もケース（例えば、袋）に入れたものでも入れない裸のものでも良い。ＲＦＩＤタグが裸の場合は医療用品への取付け後に液体バリア性（耐液性や耐薬液性）のある被覆材でカバーして防液（耐液、耐薬液）処理するのが望ましい。医療用品への取付けは接着剤や接着テープといった通常の取付け手段で行うことができる。
【００１４】
本発明のケース入りＲＦＩＤタグはアンテナとそれに接続されたＩＣチップを備えたＲＦＩＤタグを液体バリア性のある立体状又は扁平状のケース内に収容（封入）したものである。
【００１５】
前記アンテナは細長であり、絶縁性の糸の表面に導電材を設けたものでも、細長（幅０．１〜３ｍｍ、長さ数ｍｍ〜数１０ｍｍ程度）の絶縁フィルムや紙等の表面に導電材（導電パターン）を設けたものでも、金属細線でもよい。アンテナの長さはリーダとＲＦＩＤタグの通信に使用される電波の周波数に応じて設計することができる。アンテナは八木アンテナ、ダイポールアンテナといった各種のものにすることができる。
【００１６】
本発明のＲＦＩＤタグ付き医療用品用空容器は、細長のアンテナにＩＣチップを接続した前記ＲＦＩＤタグを、空容器にその成型時或いは成型後に封入或いは埋め込み等により取付けたものである。
【００１７】
空容器が立体状容器の場合は、成型時或いは成型後にその周壁や底面にＲＦＩＤタグを封入することができ、扁平状容器（袋状）の場合は、前記ＲＦＩＤタグ付き布帛を扁平容器に形成されたポケットや二重にした収容部に収容することもできる。
【発明の効果】
【００１８】
本発明のＲＦＩＤタグ付き医療用品は次のような効果がある。
（１）物体を特定するための特定情報（ＩＤ）が記憶されたＩＣチップを備えたＲＦＩＤタグが取付けられているため、医療用品を正確に識別でき、従前のような記載ミスやバーコードラベルの貼り間違え等による作業ミスが発生しない。また、判読困難、判読不能となることもなく、医療用品の取り扱い間違いや使用間違い等を防止することができる。
（２）医療用品に取付けたＲＦＩＤタグを防液構造にすれば、水濡れや薬液濡れなどによる損傷がなく、リーダによる読み取り違いもなく、医療用品の取り扱い間違いや使用間違いを防止することができる。
（３）医療用品の容器や包装に太陽電池を取付ければ、その太陽電池で発電された電気を電源としてアクティブ型、セミアクティブ型のＲＦＩＤタグを駆動することもできる。
（４）医療用品の容器や包装に温度センサを設け、その温度センサで検知された温度をＩＣチップに記憶させて、冷蔵保存或いは冷凍保存が必要な医療用品が冷蔵或いは冷凍で保存されていたか否かをトレーサビリティすることもできる、所定品質の医療用品を必要部署に搬送することができる。
【００１９】
本発明のケース入りＲＦＩＤタグは次のような効果がある。
（１）ＲＦＩＤタグが液体バリア性のあるケース内に封入されているため、耐液性や耐薬液性がある。
（２）ＲＦＩＤタグのＩＣチップに温度を記憶可能なものを使用すれば、ＲＦＩＤタグを取付けた医療用品の温度管理も可能となる。
（３）ＲＦＩＤタグ付き布帛を収容した場合は、医療用品に取付けても嵩張らない。
【００２０】
本発明のＲＦＩＤタグ付き医療用品用空容器は次のような効果がある。
（１）ＲＦＩＤタグ付き医療用品用空容器内に、採取した検体や血液等を採取後直ちに収容すれば、その後はその容器のＲＦＩＤタグのＩＤをリーダで読み取って検体や血液を管理することができるため、検体や血液を取り違える作業ミスが生じない。
（２）手書きによる情報の書き違いやバーコードラベルの貼り違いによる作業ミス等が生ずることがない。手書き情報やバーコード情報のように判読困難、判読不能となることもなく、医療用品の取り扱い間違いや使用間違い等を防止することができる。
（３）空容器（医療用品の容器や包装）に温度センサを取付け、その空容器に取付けるＲＦＩＤタグのＩＣチップに、当該温度センサで検知した温度を記憶可能なものを使用すれば、医療用品の温度管理も可能となる。
【図面の簡単な説明】
【００２１】
【図１】本発明のＲＦＩＤタグ付き医療用品の一例であり、（ａ）は検体容器に粒状のケース入りＲＦＩＤタグを取付けた場合の斜視図、（ｂ）は検体容器にチューブ状のケース入りＲＦＩＤタグを取付けた場合の斜視図。
【図２】本発明のＲＦＩＤタグ付き医療用品の異なる例であり、（ａ）は粒状のケース入りＲＦＩＤタグを取付けたスライドガラスの斜視図、（ｂ）はチューブ状のケース入りＲＦＩＤタグを取付けたスライドガラスの斜視図。
【図３】本発明のＲＦＩＤタグ付き医療用品の異なる例であり、（ａ）はＲＦＩＤタグ付き布帛を取付けた血液パックの斜視図、（ｂ）は太陽電池とＲＦＩＤタグを取付けた空容器の説明図。
【図４】本発明におけるＲＦＩＤタグの一例であり、（ａ）はファイバ状のＲＦＩＤタグの説明図、（ｂ）はアンテナファイバの説明図。
【図５】本発明のケース入りＲＦＩＤタグの異なる例であり、（ａ）は粒状のケースに封入された場合の平面図、（ｂ）は（ａ）の側面図、（ｃ）はチューブ状のケースに収容された場合の斜視図、（ｄ）は（ｃ）の平面図。
【図６】本発明のＲＦＩＤ付き医療用品の一例であり、医療用品の容器にＲＦＩＤタグ付き布帛を取付けた場合の斜視図。
【図７】（ａ）はＲＦＩＤタグ付き布帛の一例を示す正面図、（ｂ）はアンテナを多数本備えたＲＦＩＤタグ付き布帛の一例を示す正面図。
【図８】ＲＦＩＤタグ付き医療用品用空容器の一例を示す斜視図。
【図９】ＲＦＩＤタグ付き医療用品用空容器の他例を示す斜視図。
【発明を実施するための形態】
【００２２】
（ＲＦＩＤタグ付き医療用品の実施形態）
本発明のＲＦＩＤタグ付き医療用品の実施形態の一例を図５（ａ）〜（ｄ）を参照して説明する。本発明における医療用品は、検体が収容された検体入り容器、血液が充填された血液パック、点滴用栄養剤等が充填された点滴パック、医薬品が包装された包装医薬品、検体検査に使用されるプレパラート、スライドガラス、カバーガラス、シャーレ、血液検査に使用される試験管、注射器、手術用の鋏、ガーゼ、採取した検体や血液等を収容する空容器といった医療に関連する各種用品の全てを含む。
【００２３】
医療用品の一例として図１（ａ）、（ｂ）に示すものは、採取した検体が容器１に収容された医療用品２であり、容器１は樹脂製或いはガラス製といった各種材質製の上面開口の容器本体３とその開口部を閉塞する蓋４を備える。蓋４は前記開口部を閉塞できるものであればネジ式でも他の方式でもよい。
【００２４】
図１（ａ）、（ｂ）は容器本体３の外周にケース入りＲＦＩＤタグ１３を取付けたものである。このケース入りＲＦＩＤタグ１３は図４（ａ）に示すＲＦＩＤタグ５が、図５（ａ）〜（ｄ）に示す粒状、チューブ状のケース１２内に収容されているものである。
【００２５】
ＲＦＩＤタグ５の一例として図４（ａ）に示すものは、糸６の表面に導電塗料を印刷とか金属メッキなどで細長に設けた二本のアンテナ（ダイポールアンテナ）７にＩＣチップ８を接続したものである。アンテナ７は細長の絶縁性フィルムや紙の表面に導電材を細長に設けたものであっても、金属細線であってもよい。アンテナ７の長さはＲＦＩＤタグ５のＩＣチップ８とリーダとの無線通信に使用される電波の周波数に応じて設計することができる。小型化の面からは幅０．２ｍｍ〜１ｍｍ、長さ数ｍｍ〜数１０ｍｍ程度が適する。ＩＣチップ８には超小型のものが適し、例えば０．４ｍｍ×０．４ｍｍ程度のものが適する。使用周波数帯としては、ＲＦＩＤタグで使用されている各種周波数帯が使用可能であるが、２．４５ＧＨｚ〜５．８ＧＨｚのマイクロ波帯が適する。
【００２６】
前記糸６には合成樹脂繊維、天然繊維、無機繊維等を用いることができる。合成繊維材料としてはポリエステル、ナイロン、アクリル、ポリプロピレン、パラ系アラミド、メタ系アラミド、ポリアリレート、ポリベンゾイミダゾールなどを、天然繊維材料としては、綿、ウール、麻などを、無機繊維材料としてはガラスなどを用いることができる。糸６はこれら繊維を混合した混合糸を多数本収束したものとすることもできる。その他、モノフィラメント糸、マルチフィラメント糸又は紡績糸を用いることができる。糸６は収束した繊維がほどけないように撚りを付与しておくとよい。糸６の太さは０．５ｍｍ〜２ｍｍ程度のものが適する。糸６の太さが０．５ｍｍより細くなるとＩＣチップ８のサイズ（０．４ｍｍ×０．４ｍｍ）よりも小さくなるためＩＣチップ８の実装が困難となり、２ｍｍよりも太くなると柔軟性が低下して布帛に織り込んだり編み込んだりする場合に取り扱いが難しくなり、ＲＦＩＤタグが大型化する。
【００２７】
前記アンテナ７は線状、面状、テープ状、矩形状、円形状、楕円形状といった各種形状にすることができる。アンテナ７は糸６の周方向に広幅に形成するとか螺旋状に形成したりすることもできる。アンテナ７を周方向に形成することで複数のＩＣチップ８を糸６の周囲に三次元に配置することも可能となる。用途に合わせてアンテナ７の形状及びＩＣチップ８の組み合せを設計することができる。アンテナ７はＩＣチップ８に内蔵されたものでも良い。
【００２８】
ＲＦＩＤタグ５には各種のものを使用することができる。バッテリーを備えた能動型（アクティブ型）、バッテリーを持たない受動型（パッシブ型）、リーダから電波を受けたときにのみ送信するセミアクティブ型のいずれも使用可能であるが、小型化の面からはパッシブ型が適する。アクティブ型、セミアクティブ型の場合はＩＣチップ８を駆動するための電源が必要になる。その電源は小型電池（例えば、小型のボタン電池）でもよいが太陽電池（太陽光発電器）であってもよい。太陽電池１０は図３（ｂ）のように容器１に取付けることができる。太陽電池１０への照光は太陽光以外にも、冷蔵庫や冷凍室等の内部照明光でも発電（蓄電）できる。
【００２９】
ＩＣチップ８は少なくともそれを取付ける物体（本発明では医療用品）を特定するための特定情報（ＩＤ）が記憶されている。ＩＣチップ８には必要に応じて他の情報、例えば医療管理に必要な医療管理情報や医療用品の属性情報等の各種情報を記憶させておくこともできる。医療管理情報としては、例えば、検体容器に貼り付けるＲＦＩＤタグ５の場合はその検体に割り当てられた個別番号、検体者氏名、検体入手日時、検体保管経緯、用途、検体使用日時、その他の必要事項である。これら記憶情報はリーダで読み取って管理用のホストコンピュータに伝送することができる。
【００３０】
ＩＣチップ８は書き込み不能なものでも書き込み可能なものでも使用可能であるが、トレーサビリティの面からは一度の書き込みは可能であるが書き込み後の改変は不可能なライトワンス（追記型）のものが好ましい。ＩＣチップ８は温度センサで検知された温度を記憶（書き込み）可能なものとすることができる。この場合は、医療用品２の容器や包装に温度センサを設けるのがよい。
【００３１】
前記のように糸６にアンテナ７を設けＩＣチップ８を搭載したＲＦＩＤ５タグの場合、糸６、アンテナ７、ＩＣチップ８の外周を液体バリア性のある樹脂製のシートやフィルム等で被覆するとか、当該樹脂製のチューブ内に封入するなどして、アンテナ７及びＩＣチップ８が糸６から外れないようにすると共に耐屈曲性をもたせ、更にはそれらを防液可能とするのが望ましい。
【００３２】
医療用品２へのＲＦＩＤタグ５の取付けは接着剤や両面テープなどによる貼り付け等の各種取付け手段によることができるが、医療用品２の容器に埋め込むこともできる。容器が樹脂製或いはガラス製といった成型品の場合は図８のように容器１の成型時に容器１の周壁にＲＦＩＤタグ５を埋め込んで成型するとか、成型時に容器１に穴や窪み等の収容部を成しておきその収容部にＲＦＩＤタグ５を収容して密封したりすることができる。取付けるＲＦＩＤタグ５の形状は、図５（ａ）、（ｂ）のようなものでもよく、取付箇所は他の箇所、例えば底面に取付けることもできる。
【００３３】
ＲＦＩＤタグ５は図５（ａ）〜（ｄ）に示すようにケース（ハウジング）１２に収容されているケース入りＲＦＩＤタグ１３でも、ケース１２に収容されていない裸のものであってもよい。裸の場合は医療用品２に取付けてからその外側を液体バリア性のある樹脂シート等で被覆してもよい。
【００３４】
ケース１２は図５（ａ）、（ｂ）に示すような粒状のものでも、図５（ｃ）、（ｄ）に示すようなチューブ状のもの（いずれも立体状）でも、袋のような扁平状のものでもよい。図５（ａ）、（ｂ）に示す粒状のケース１２の場合は、その一部に医療用品２に取付け易くした平面状の取付け部１２ａを設け、ケース１２に形成されているスリット内に前記ＲＦＩＤタグ５を差し込み、そのスリットの差込口を閉塞してＲＦＩＤタグ５を封入してある。この場合、アンテナ７の長寸方向両端部７ａ、７ｂを取付け部１２ａから離れる方向（図５（ａ）では上向き）に湾曲させるのが望ましい。このように湾曲させるとケース入りＲＦＩＤタグ１３を金属製の医療用品２に取付けた場合に、アンテナ７の長寸方向両端部７ａ、７ｂが金属製の医療用品２から離れて、リーダからの電波がその医療用品２で遮蔽（シールド）されることなく通信可し易くなる。従って、ケース１２の材質もシールド性（電磁遮蔽性）がなく無線通信に支障のないものが望ましく、しかも、防液性のある樹脂製とか防液処理された紙製等が適する。
【００３５】
図５（ｃ）、（ｄ）に示すチューブ状の場合は細長のケース１２の一部に医療用品２に取付け易くした平面状の取付け部１２ａを設け、ケース１２に形成されているスリット内に前記ＲＦＩＤタグ５を差し込み、そのスリットの差込口を閉塞してＲＦＩＤタグ５を封入してある。この場合も、ケース１２の材質はシールド性（電磁遮蔽性）がなく無線通信に支障のないものが望ましく、しかも、防液性のあるものが適する。これら立体ケースは他の形状でもよい。
【００３６】
図２（ａ）、（ｂ）に示すものは医療用品２がスライドガラスの場合である。図２（ａ）はＲＦＩＤタグ５が粒状のケース１２に収容されたケース入りＲＦＩＤタグ１３を取付けた例、図２（ｂ）はＲＦＩＤタグがチューブ状のケース１２に収容されたケース入りＲＦＩＤタグ１３を取付けた例である。
【００３７】
図３（ａ）に示すものはＲＦＩＤタグ５を血液パック１４に取付けた場合である。この場合のＲＦＩＤタグ５は図４（ａ）のように糸状のアンテナ７にＩＣチップ８を接続したＲＦＩＤ５を、図７（ａ）のように織物、編物等の布帛１５に織り込んだり編み込んだりしてＲＦＩＤタグ付き布帛１６とし、そのＲＦＩＤタグ付き布帛１６を血液パック１４に取付けてある。この場合、血液パック１４の一部にポケットを作って収容部を形成したり血液パック１４の一部を二重にしたりして収容部を作り、その収容部内にＲＦＩＤタグ付き布帛１６を収容することができる。収容部はＲＦＩＤ付き布帛１６の収容後に密封して、ＲＦＩＤタグ付き布帛１６が抜け出ないようにするのが望ましい。図７（ａ）に示すＲＦＩＤタグ付き布帛１６は図６のように、検体、血液等が収容されている容器（医療用品２）とか空容器１１（図８）に貼り付けることもできる。
【００３８】
図７（ｂ）にＲＦＩＤタグ５及びアンテナ７が形成されたＲＦＩＤタグ付き布帛１６の他例を示す。このＲＦＩＤタグ付き布帛１６は、織物、編物等の布帛１５に、図４（ａ）のように糸状のアンテナ７にＩＣチップ８を接続したＲＦＩＤタグ５を織り込み、その先方（放送局方向）に４本の導波器１７を、後方（放送局方向と反対側）に１本の反射器１８を設けたものである。これら導波器１７、反射器１８には図４（ｂ）に示すアンテナファイバ２０が使用されている。このアンテナファイバ２０は図４（ａ）に示す前記ＲＦＩＤタグ５のアンテナ７と同様に、糸６に印刷やメッキにより導電材２１を設け、導電材２１の長さを導波器１７、反射器１８として適当な長さのアンテナにしたものである。図７（ｂ）ではこのアンテナファイバ２０を布帛１５に織り込んだり編み込んだりしたものである。このＲＦＩＤタグ付き布帛１６も血液パック１４、点滴パック等の医療用品２、空容器１１等に取付けることができる。
【００３９】
図９に示すものは検体を入れる空容器１１がトレーの場合であり、周枠１１ａの内側が仕切１１ｂで６個の検体収容部１１ｃに区画され、周壁１１ａにケース入りＲＦＩＤタグ１３が取付けられている。収容部１１ｃの数は任意数とすることができる。トレーは仕切１１ｂのないものであってもよい。空容器１１は図示した以外の形状であってもよい。
【００４０】
一人の患者から採取した検体が二以上の空容器１１に収容される場合は、それぞれの空容器１１のＲＦＩＤタグ５のＩＤに枝番を付けて、それら枝番のついたＲＦＩＤタグ５全てを一括して読み取って一つの検体容器として管理することができる。この場合、リーダには複数のＲＦＩＤタグ５を一括読み込み可能な機能（アンチコリジョン機能或いはマルチリード機能）を備えたものを使用するのがよい。
【符号の説明】
【００４１】
１    容器
２    医療用品
３    容器本体
４    蓋
５    ＲＦＩＤタグ
６    糸
７    アンテナ
７ａ、７ｂ  アンテナの長寸方向両端部
８    ＩＣチップ
１０    太陽電池
１１    空容器
１１ａ  周枠
１１ｂ  仕切
１１ｃ  収容部
１２    ケース
１２ａ  取付け部
１３    ケース入りＲＦＩＤタグ
１４    血液パック
１５    布帛
１６    ＲＦＩＤタグ付き布帛
１７    導波器
１８    反射器
２０    アンテナファイバ
２１    導電材
【図１】
2013114587.tif 000003
【図２】
2013114587.tif 000004
【図３】
2013114587.tif 000005
【図４】
2013114587.tif 000006
【図５】
2013114587.tif 000007
【図６】
2013114587.tif 000008
【図７】
2013114587.tif 000009
【図８】
2013114587.tif 000010
【図９】
2013114587.tif 000011